【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
印刷データに基づいてインク滴を吐出する記録ヘッドと、該記録ヘッドにインクを供給するためのインクカートリッジとを備えたインクジェット式記録装置であって、
前記インクカートリッジに貯留されたインクの消費量について、吐出されたインク滴の数をカウントし、１滴当たりのインク量を乗算してインク消費カウンタ値としての消費インク量を算出するインク消費量計数手段と、
設定された閾値と前記インク消費量であるインク消費カウンタ値とを比較し、該インク消費カウンタ値が前記閾値に達した場合にインクエンドとみなすインクエンド判定手段と、
前記閾値に達した場合にインクカートリッジの使用を制限し印刷中止状態にする手段であるインクエンドプロテクトと、
ユーザが選択することにより前記インクエンドプロテクトを解除して印刷を可能にする継続印刷選択手段と、
インク吸引量が異なるクリーニングモードを有し、前記記録ヘッドに対してクリーニングモードを実行する吐出特性維持装置と、を備え、  前記継続印刷選択手段により前記インクエンドプロテクトが解除された状態で、ユーザの操作によるクリーニング指令を受けた場合に、印刷を停止させ、  前記インクエンドプロテクトが解除されていない状態で、ユーザの操作によるクリーニング指令を受けた場合、前記吐出特性維持装置は、    前回のクリーニングモードがインクカートリッジを交換したことによるクリーニングである場合、インク吸引量が最多量のクリーニングモードを実行し、    前回のクリーニングモードがインクカートリッジを交換したことによるクリーニングでない場合、前回よりインク吸引量が多量のクリーニングモードを実行する、インクジェット式記録装置。
【手続補正２】
【補正対象書類名】明細書
【補正対象項目名】０００８
【補正方法】変更
【補正の内容】
【０００８】
上記課題を解決するため、第１の態様のインクジェット式記録装置の発明は、印刷データに基づいてインク滴を吐出する記録ヘッドと、該記録ヘッドにインクを供給するためのインクカートリッジとを備えたインクジェット式記録装置であって、前記インクカートリッジに貯留されたインクの消費量を演算してインクカートリッジのインク消費カウンタ値を求めるインク消費量計数手段と、前記インク消費量計数手段によってインクカートリッジのインク消費カウンタ値が所定値に達した場合に、インクエンドであると判定するインクエンド判定手段と、前記インクエンド判定手段によってインクエンドと判定された場合の印刷中止状態を解除して印刷を可能にする継続印刷選択手段と、を備えたことを特徴とする。
【手続補正３】
【補正対象書類名】明細書
【補正対象項目名】００１０
【補正方法】変更
【補正の内容】
【００１０】
また、第２の態様のインクジェット式記録装置の発明は、第１の態様において、前記継続印刷選択手段による印刷中止状態の解除を、インクカートリッジの交換によりリセットさせるようにしたことを特徴とする。
【手続補正４】
【補正対象書類名】明細書
【補正対象項目名】００１２
【補正方法】変更
【補正の内容】
【００１２】
また、第３の態様のインクジェット式記録装置の発明は、第１の態様において、前記継続印刷選択手段による印刷中止状態の解除を、インクカートリッジの交換後に所定量の印刷を実行した後でリセットさせるようにしたことを特徴とする。
【手続補正５】
【補正対象書類名】明細書
【補正対象項目名】００１４
【補正方法】変更
【補正の内容】
【００１４】
また、第４の態様のインクジェット式記録装置の発明は、第１の態様において、前記継続印刷選択手段により印刷中止状態が解除された状態で、ユーザの操作によるクリーニング指令を受けた場合に、印刷を停止させるようにしたことを特徴とする。
【手続補正６】
【補正対象書類名】明細書
【補正対象項目名】００１６
【補正方法】変更
【補正の内容】
【００１６】
また、第５の態様の記録方法の発明は、印刷データに基づいてインク滴を吐出する記録ヘッドと、該記録ヘッドにインクを供給するためのインクカートリッジとを備えたインクジェット式記録装置における記録方法であって、前記インクカートリッジに貯留されたインクの消費量を演算してインクカートリッジのインク消費カウンタ値を求めるインク消費量計数ステップと、前記インク消費量計数ステップの実行によってインクカートリッジのインク消費カウンタ値が所定値に達したことが検証された場合に、インクエンドであると判定するインクエンド判定ステップと、前記インクエンド判定ステップによってインクエンドと判定された場合に、印刷を中止するインクエンド処理ステップと、を含み、前記インクエンド処理ステップによる印刷中止状態を解除して記録を続行させる印刷中止状態解除ステップを、選択可能に設けたことを特徴とする。
【手続補正７】
【補正対象書類名】明細書
【補正対象項目名】００１８
【補正方法】変更
【補正の内容】
【００１８】
また、第６の態様の記録方法の発明は、第５の態様において、前記印刷中止状態解除ステップにより行われた印刷中止状態の解除を、インクカートリッジの交換によりリセットするようにしたことを特徴とする。
【手続補正８】
【補正対象書類名】明細書
【補正対象項目名】００２０
【補正方法】変更
【補正の内容】
【００２０】
また、第７の態様のインクジェット式記録装置における記録方法の発明は、第５の態様において、前記印刷中止状態解除ステップにより行われた印刷中止状態の解除を、インクカートリッジの交換後に所定量の印刷を実行した後でリセットするようにしたことを特徴とする。
【手続補正９】
【補正対象書類名】明細書
【補正対象項目名】００２２
【補正方法】変更
【補正の内容】
【００２２】
また、第８の態様のインクジェット式記録装置における記録方法の発明は、第５の態様において、前記印刷中止状態解除ステップにより行われた印刷中止状態の解除の状態で、ユーザの操作によるクリーニング指令を受けた場合に、印刷を停止させるようにしたことを特徴とする。
【手続補正１０】
【補正対象書類名】明細書
【補正対象項目名】００２４
【補正方法】変更
【補正の内容】
【００２４】
第９の態様の記録システムの発明は、ホストコンピュータと、該ホストコンピュータから受信した印刷データに基づいて印刷を行うインクジェット式記録装置と、を備えた記録システムであって、インクカートリッジに貯留されたインクの消費量を演算してインクカートリッジのインク消費カウンタ値を求めるインク消費量計数手段と、前記インク消費量計数手段によってインクカートリッジのインク消費カウンタ値が所定値に達した場合に、インクエンドであると判定するインクエンド判定手段と、前記インクエンド判定手段によってインクエンドと判定された場合の印刷中止状態を解除して印刷を可能にする継続印刷選択手段と、を備えたことを特徴とする。この記録システムの発明は、第１の態様と同様の作用効果を有するものである。
【手続補正１１】
【補正対象書類名】明細書
【補正対象項目名】００２５
【補正方法】変更
【補正の内容】
【００２５】
第１０の態様の記録システムの発明は、第９の態様において、前記継続印刷選択手段による印刷中止状態の解除を、インクカートリッジの交換によりリセットさせるようにしたことを特徴とする。この特徴によれば、記録システムにおいて、第２の態様と同様の作用効果が得られる。
【手続補正１２】
【補正対象書類名】明細書
【補正対象項目名】００２６
【補正方法】変更
【補正の内容】
【００２６】
第１１の態様の記録システムの発明は、第９の態様において、前記継続印刷選択手段による印刷中止状態の解除を、インクカートリッジの交換後に所定量の印刷を実行した後でリセットさせるようにしたことを特徴とする。この特徴によれば、記録システムにおいて、第３の態様と同様の作用効果が得られる。
【手続補正１３】
【補正対象書類名】明細書
【補正対象項目名】００２７
【補正方法】変更
【補正の内容】
【００２７】
第１２の態様の記録システムの発明は、第９の態様において、前記継続印刷選択手段により印刷中止状態が解除された状態で、ユーザの操作によるクリーニング指令を受けた場合に、印刷を停止させるようにしたことを特徴とする。この特徴によれば、記録システムにおいて、第４の態様と同様の作用効果が得られる。
【手続補正１４】
【補正対象書類名】明細書
【補正対象項目名】００２８
【補正方法】変更
【補正の内容】
【００２８】
第１３の態様の記録システムの発明は、第９から第１２のいずれか一の態様において、印刷中止状態を解除して印刷を継続する場合の注意事項を告知する表示手段を備えたことを特徴とする。この特徴によれば、印刷中止状態を解除して印刷を継続する場合のリスクを告知する表示を行うことによって、ユーザの注意を喚起し、インクカートリッジのインクを完全に使い切ることによる気泡の混入などの不具合を未然に回避できる。
【手続補正１５】
【補正対象書類名】明細書
【補正対象項目名】００２９
【補正方法】変更
【補正の内容】
【００２９】
第１４の態様の記録システムの発明は、第９から第１３のいずれか一の態様において、印刷中止状態が解除されていた事実を告知する表示手段を備えたことを特徴とする。この特徴によれば、印刷中止状態が解除されていた事実を告知する表示を行うことによって、ユーザの注意を喚起し、例えば強力なクリーニングモードの実行を促すことが可能になるため、気泡の混入などの不具合に対して有効に対処できる。